(57)【要約】【課題】患部が背中のような手の届かない箇所であっても、薬剤等を塗布することができるようにする。【解決手段】薬剤等の塗布補助具１は、中間に湾曲部２ｃを有する撓まないアーム２と、アーム２の先端部に取り付けられる塗布部材３とから成る。塗布部材３は、アーム２の先端部に備えられた保持機構５により取外し可能に保持されている。塗布部材３は、外周面に塗布剤を付着させることが可能なローラ４をもって構成される。【選択図】図２
2005278869.tif 000002
【特許請求の範囲】
【請求項１】
中間に湾曲部を有する撓まないアームと、アームの先端部に取り付けられる塗布部材とから成り、前記塗布部材は、アームの先端部に備えられた保持機構により取外し可能に保持されて成る薬剤等の塗布補助具。
【請求項２】
前記アームは、幅方向に湾曲する形状の板状体である請求項１に記載された薬剤等の塗布補助具。
【請求項３】
前記アームは、複数のパイプが伸縮可能に連結されて成るものである請求項１に記載された薬剤等の塗布補助具。
【請求項４】
前記塗布部材は、外周面に塗布剤を付着させることが可能なローラであり、前記保持機構は、前記ローラを回転自由に支持する軸受により構成されている請求項１に記載された薬剤等の塗布補助具。
【請求項５】
前記塗布部材は、先端部に塗布剤を付着させることが可能な湾曲面を備え、前記保持機構は、前記塗布部材の基端部が嵌まる嵌合穴により構成されている請求項１に記載された薬剤等の塗布補助具。
【請求項６】
前記保持機構は、塗布部材を挟持することが可能なクリップにより構成されている請求項１に記載された薬剤等の塗布補助具。
【請求項７】
請求項１〜６のいずれかに記載された薬剤等の塗布補助具であって、前記塗布部材に被せられるキャップをさらに備えて成る薬剤等の塗布補助具。
【発明の詳細な説明】
【技術分野】
【０００１】
この発明は、薬剤や美容のための塗布剤（以下「薬剤等」という。）を人体に塗布するのに用いられる薬剤等の塗布補助具に関する。
【背景技術】
【０００２】
例えば、人体に薬剤を塗布するには、軟膏のような薬剤であれば、指先に適量を付着させ、その指先を患部に擦り付けて薬剤を塗布する。また、液状やゼリー状の薬剤や美容液であれば、適量を手のひらで受け、手のひらを患部に押し当てて薬剤や美容液を塗布する。液体の消炎鎮痛剤においては、従来、薬剤が装填された容器に塗布部材が設けられており、容器を手で持ち、薬剤が滲み出た塗布部材を患部に当てて塗布する。
なお、この発明は、先行技術調査を行うことなく、上記した公知または公用の技術をもとに開発されたものであり、記載すべき先行技術文献情報は存在しない。
【発明の開示】
【発明が解決しようとする課題】
【０００３】
近年、特にアトピー性皮膚炎が問題となっている。この種の皮膚炎が背中など、手が届かない箇所に発生すると、自分では薬剤を患部に塗布できず、他人に塗布してもらうより他はない。また、これからの老齢化社会においてますます増加するであろう一人暮らしの老人においては、薬剤を背中などに塗布できなければ病院まで出向かなければならない。さらにまた、筋肉痛などの発生部位が背中であれば、指先や手のひらによって薬剤を患部に塗布することは困難である。塗布部材を備えた容器であっても同様であり、その塗布部材をもって患部に薬剤を塗布することはできない。
【０００４】
この発明は、上記問題に着目してなされたもので、患部が背中のような手の届かない箇所であっても、薬剤等を塗布することができる薬剤等の塗布補助具を提供することを目的とする。
【課題を解決するための手段】
【０００５】
この発明による薬剤等の塗布補助具は、中間に湾曲部を有する撓まないアームと、アームの先端部に取り付けられる塗布部材とから成る。前記塗布部材は、アームの先端部に備えられた保持機構により取外し可能に保持されて成る。
【０００６】
この発明の上記した構成において、「アーム」は合成樹脂材、木材、竹、金属材など、その材質は問わないが、塗布部材を患部に押し当てるとき、十分な押圧力が作用するように撓まないことが条件である。アームが可撓性のある材質の板状体である場合は、幅方向に湾曲する形状にして撓まないようにする。
また、アームは、複数のパイプを伸縮可能に連結して構成することもできる。この実施態様によると、患部の位置に応じた最適な長さで使用することが可能となる。
【０００７】
なお、「湾曲部」は塗布部材が背中などの部位に正しく当たるようにするために形成されるもので、その位置は問わないが、先端部に近い位置に設ければ、使い勝手が良い。
【０００８】
前記保持機構は、塗布部材の構成態様に応じて種々の形態のものが考えられるが、少なくとも、塗布部材を人体に押し当てたときに塗布部材が人体から受ける反力によって外れないような構成である必要がある。
【０００９】
この発明の好ましい一実施態様においては、前記塗布部材は、外周面に塗布剤を付着させることが可能なローラであり、前記保持機構は、前記ローラを回転自由に支持する軸受により構成されている。この実施態様によれば、身体の表面に沿ってローラを転動させることにより塗布剤を滑らかに塗布できる。
【００１０】
また、他の好ましい実施態様においては、前記塗布部材は、先端部に塗布剤を付着させることが可能な湾曲面を備えたものであり、前記保持機構は、前記塗布部材の基端部が嵌まる嵌合穴により構成されている。この実施態様によれば、可動部分がないので、構造が簡易である。
【００１１】
さらに、他の好ましい実施態様においては、前記保持機構は、塗布部材を挟持することが可能なクリップにより構成されている。この実施態様によれば、塗布部材として種々の態様ものを使用できるという利点があり、特に使い捨ての塗布部材に好適である。
【００１２】
上記した各構成態様において、「塗布部材」は薬剤等を付着させて保持できるものであれば、綿、布、スポンジ、ゴムなど、種々の材質のもので構成できる。
塗布部材は使い捨てにすれば衛生的であって望ましいが、使い捨てにしなければ、前記塗布部材に被せられるキャップを具備させるとよい。
【００１３】
上記した構成において、背中など、手の届かない部位に薬剤等を塗布するには、保持機構に保持された塗布部材に塗布剤を付着させた後、アームを手で持って塗布部材を患部に近づけて押し当て、薬剤等を塗布する。塗布部材が使い捨てであれば、薬剤等を塗布した後、保持機構から塗布部材を外して廃棄する。
【発明の効果】
【００１４】
この発明によると、患部が背中のような手の届かない箇所であっても、薬剤等を容易かつ確実に患部に塗布することができる。
【発明を実施するための最良の形態】
【００１５】
図１〜図３は、この発明の一実施例である薬剤等の塗布補助具１の構成を示している。
図示例の塗布補助具１は、合成樹脂製のアーム２と、アーム２の先端部に取り付けられる塗布部材３とから成る。前記アーム２は全長がほぼ４０ｃｍ程度の長尺の板状体であり、幅方向に湾曲する形状に形成して撓まないようにしてある。アーム２の基端側がグリップ部２ｂ、先端側が作用部２ａになっており、作用部２ａの近傍位置に９０度近くの曲げ角度に曲げられた湾曲部２ｃを備えている。
【００１６】
この実施例の塗布部材３は、図４に示すように、外周面に塗布剤を付着させることが可能なローラ４をもって構成されている。このローラ４の中心を通る貫通孔４０には保持機構５を構成する支え軸５０が挿通され、支え軸５０上にローラ４が回動自由に支持される。ローラ４は使い捨てであって、紙製または合成樹脂製のパイプの外周面に柔軟な繊維などの素材が装着されている。
【００１７】
前記作用部２ａは、左右の突壁部２０，２０を有し、突壁部２０，２０間にローラ４を位置させる空間２１が設けられている。各突壁部２０には前記支え軸５０を挿通させる軸受孔５３が形成されている。各軸受孔５３は支え軸５０とともに保持機構５を構成するものである。支え軸５０は基端に頭部５１を有し、先端に抜止め５２がネジ止めされる。ローラ４を作用部２ａから取り除くには、支え軸５０の先端より抜止め５２を外した後、支え軸５０を軸受孔５３より抜き取る。
【００１８】
図５は、ローラ４の他の実施例を示している。図示例のローラ４は全体がスポンジのような弾性材により形成されており、ローラ４の中心を貫通させた支え軸４４の両端部をローラ４の端面より突出させている。作用部２ａの各突壁部２０には支え軸４４の両端を支持する軸受穴５４と、各軸受穴５４に支え軸４４の端部を導くガイド溝（図示せず）とがそれぞれ形成されている。前記軸受穴５４とガイド溝とは保持機構５を構成するものである。
【００１９】
図６は、塗布部材３の他の実施例を示している。図示例の塗布部材３は、全体が柔軟な繊維やスポンジなどで形成されており、先端部に塗布剤を付着させることが可能な湾曲面６を備えている。アーム２の作用部２ａには前記塗布部材３の基端部６０が嵌まる嵌合穴５５が設けられている。この嵌合穴５５は保持機構５を構成するもので、塗布部材３の基端部６０が挿脱可能である。
【００２０】
図７は、保持機構５の他の実施例を示している。図示例の保持機構５は塗布部材３を挟持することが可能なクリップ７により構成されている。前記クリップ７は、一対の挟み片７０，７０を有しており、各挟み片７０は図示しないばねにより先端が閉じるように付勢されている。挟み片７０，７０の先端をばね力に抗して押し開くと、塗布部材３の着脱が可能である。この実施例では塗布部材３として例えば綿糸や綿布などを用いるとよい。
【００２１】
図８は、アーム２の他の実施例を示している。図示例のアーム２は、径が異なる複数本の合成樹脂製または金属製のパイプ８，８０，８１を伸縮可能に連結して成るものである。最も径の大きな基端側のパイプ８はグリップ部２ｂを構成し、最も径の小さな先端側のパイプ８１には湾曲部２ｃと作用部２ａとが形成されている。作用部２ａには保持機構５が設けられ、この保持機構５によって塗布部材３が取外し可能に保持されている。なお、保持機構５および塗布部材３の構成は図１〜図４の実施例と同様であり、ここでは説明を省略する。
【００２２】
上記した構成において、背中など、手の届かない部位に薬剤等を塗布するには、保持機構５によって保持された塗布部材３に塗布剤を付着させた後、アーム２のグリップ部２ｂを手で持って塗布部材３を患部に近づけて押し当てる。この場合、アーム２は撓まないから、塗布部材３を患部に押し当てるとき、十分な押圧力を作用させることが可能であり、塗布剤を患部に確実に塗布できる。また、アーム２に湾曲部２ｃが設けてあるので、肩越しにアーム２を操作して塗布部材３を背中などの部位に正しく当てることができる。
塗布部材３が使い捨てであれば、薬剤等を塗布した後、保持機構５から塗布部材３を外して廃棄する。
【図面の簡単な説明】
【００２３】
【図１】この発明の一実施例である塗布補助具の平面図である。
【図２】図１の実施例の側面図である。
【図３】図１のＡ−Ａ線に沿う断面図である。
【図４】保持機構および塗布部材の構成を示す正面図である。
【図５】保持機構および塗布部材の他の実施例を示す正面図である。
【図６】この発明の他の実施例を示す斜視図である。
【図７】この発明の他の実施例を示す斜視図である。
【図８】この発明の他の実施例を示す斜視図である。
【符号の説明】
【００２４】
１    塗布補助具
２    アーム
２ｃ  湾曲部
３    塗布部材
４    ローラ
１０  キャップ
４４  支え軸
５    保持機構
５０  支え軸
５３  軸受孔
５４  軸受穴
５５  嵌合穴
７    クリップ
８，８０，８１  パイプ
【図１】
2005278869.tif 000003
【図２】
2005278869.tif 000004
【図３】
2005278869.tif 000005
【図４】
2005278869.tif 000006
【図５】
2005278869.tif 000007
【図６】
2005278869.tif 000008
【図７】
2005278869.tif 000009
【図８】
2005278869.tif 000010